(57)【要約】【課題】  芳香体を収納する袋本体が革シートの縫製により形成され、高級感、表面の滑らかな触感、ソフトな弾力感を備え、袋本体から芳香体が落下する虞がなく、種々の形態で製造することができる匂い革袋を提供する。【解決手段】  匂い革袋１は、重ね合わされた２枚の革シート１１，１２の周囲が縫製されて形成された革袋本体２と、革袋本体２内に設けられた、香水、アロマオイル等の芳香液を含浸するための吸湿体６とからなる。匂い革袋１は、芳香液の香りが革袋本体２全体に浸透して裏面から表面に滲み出て芳香液の香りを楽しむことができる。【選択図】 図１
2013017514.tif 000002
【特許請求の範囲】
【請求項１】
重ね合わされた２枚の革シートの周囲が縫製されて形成された革袋本体と、
革袋本体内に設けられた、芳香液を含浸するための吸湿体とからなることを特徴とする匂い革袋。
【請求項２】
革袋本体の周縁の一側であって、縫製された縫い目の内側には、貫通穴が形成されており、
前記吸湿体は、貫通穴を通して芳香液が含浸されることを特徴とする請求項１記載の匂い革袋。
【請求項３】
吸湿体は、反発素材で形成されており、
革袋本体は、吸湿体の反発力によって膨脹しており、押圧することにより、吸湿体に含浸された芳香液の香りが前記貫通穴から放出されることを特徴とする請求項２記載の匂い革袋。
【請求項４】
吸湿体は、内部に芳香液を蓄える湿潤体が設けられていることを特徴とする請求項１、２又は３記載の匂い革袋。
【請求項５】
２枚の革シートの間に吸湿体を挟み込むようにして、接着剤により２枚の革シートを接着する第１の工程と、
吸湿体を囲むようにして、２枚の革シートに所定形状の縫製を行う第２の工程と、
縫製により形成された所定形状の縫い目の外側を切断して革袋本体を形成する第３の工程と、
革袋本体の周縁の一側であって、縫い目の内側に貫通穴を形成する第４の工程により匂い革袋を製造することを特徴とする匂い革袋の製造方法。
【請求項６】
２枚の革シートの間に吸湿体を挟み込むようにして、接着剤により２枚の革シートを接着する第１の工程と、
吸湿体を囲むようにして、２枚の革シートに所定形状の縫製を行う第２の工程と、
縫製により形成された所定形状の縫い目の内側の一側に貫通穴を形成する第３の工程と、
前記縫い目の外側を切断して革袋本体を形成する第４の工程により匂い革袋を製造することを特徴とする匂い革袋の製造方法。
【発明の詳細な説明】
【技術分野】
【０００１】
この発明は、香水、アロマオイル等の芳香液を含浸するための吸湿体を内部に収納した匂い革袋とその製造方法に関するものである。
【背景技術】
【０００２】
従来、匂い袋は、服のポケット、バック、箪笥の引き出し等の中に入れたり、ズボン、バック、携帯電話等にぶら下げたりして、匂いを楽しむ物である。従来の匂い袋は、布製の袋本体の内部に芳香体を収納し、袋本体の開口部を紐等により締着して閉じて使用されてきた。芳香体は、芳香剤と芳香カプセルからなるものと（例えば、特許文献１）、芳香液を含浸させた含浸体を収納した収納袋体からなるものが存在した（例えば、特許文献２）。
【先行技術文献】
【特許文献】
【０００３】
【特許文献１】実開平６−１１６０８号公報
【特許文献２】実公平３−３１２９７号公報
【発明の概要】
【発明が解決しようとする課題】
【０００４】
上記した従来の匂い袋は、芳香体を収納する袋本体が布素材により形成されているので、高級感、表面の滑らかな触感、ソフトな弾力感が得られなかった。また、袋本体は、紐により開口部が閉じられているが、紐が弛んで開口部から芳香体が落下してしまう虞があった。さらに、袋本体は、巾着袋状に形成され、人形型、動物型、自動車型等の様々な形状で形成することができなかった。また、従来の匂い袋は、華奢であり、頑丈さに欠けていた。
【０００５】
本願発明は、上記点に鑑み案出したものであって、芳香体を収納する袋本体が革シートの縫製により形成され、高級感、表面の滑らかな触感、ソフトな弾力感を備え、袋本体から芳香体が落下する虞がなく、種々の形態で製造することができる、従来にない新規な構成で頑丈な匂い革袋及びその製造方法を提供することを目的とする。
【課題を解決するための手段】
【０００６】
本願請求項１に係る匂い革袋は、上記目的を達成するため、重ね合わされた２枚の革シートの周囲が縫製されて形成された革袋本体と、革袋本体内に設けられた、芳香液を含浸するための吸湿体とからなることを特徴とする。
【０００７】
本願請求項２に係る匂い革袋は、上記目的を達成するため、革袋本体の周縁の一側であって、縫製された縫い目の内側には、貫通穴が形成されており、前記吸湿体は、貫通穴を通して芳香液が含浸されることを特徴とする。
【０００８】
本願請求項３に係る匂い革袋は、上記目的を達成するため、吸湿体は、反発素材で形成されており、革袋本体は、吸湿体の反発力によって膨脹しており、押圧することにより、吸湿体に含浸された芳香液の香りが前記貫通穴から放出されることを特徴とする。
【０００９】
本願請求項４に係る匂い革袋は、上記目的を達成するため、吸湿体は、内部に芳香液を蓄える湿潤体が設けられていることを特徴とする。
【００１０】
本願請求項５に係る匂い革袋の製造方法は、上記目的を達成するため、２枚の革シートの間に吸湿体を挟み込むようにして、接着剤により２枚の革シートを接着する第１の工程と、吸湿体を囲むようにして、２枚の革シートに所定形状の縫製を行う第２の工程と、縫製により形成された所定形状の縫い目の外側を切断して革袋本体を形成する第３の工程と、革袋本体の周縁の一側であって、縫い目の内側に貫通穴を形成する第４の工程により匂い革袋を製造することを特徴とする。
【００１１】
本願請求項６に係る匂い革袋の製造方法は、上記目的を達成するため、２枚の革シートの間に吸湿体を挟み込むようにして、接着剤により２枚の革シートを接着する第１の工程と、吸湿体を囲むようにして、２枚の革シートに所定形状の縫製を行う第２の工程と、縫製により形成された所定形状の縫い目の内側の一側に貫通穴を形成する第３の工程と、前記縫い目の外側を切断して革袋本体を形成する第４の工程により匂い革袋を製造することを特徴とする。
【発明の効果】
【００１２】
本願発明に係る匂い革袋は、重ね合わされた２枚の革シートの周囲が縫製されて形成された革袋本体と、革袋本体内に設けられた、香水、アロマオイル等の芳香液を含浸するための吸湿体とからなる。本願発明に係る匂い革袋は、芳香液の香りが革袋本体全体に浸透して裏面から表面に滲み出て、持っているだけで芳香液の香りを楽しむことができるという効果がある。また、本願発明に係る匂い革袋は、革袋本体を縫製により人形型、動物型、自動車型、飛行機型、電車型、星形、菱形等の種々の形状に形成することができ、装飾品としても楽しむことができるという効果がある。本願発明に係る匂い革袋は、革袋本体が皮革によって形成されているので、手触り感、質感、外観、高級感及び頑丈で耐久性に優れているという効果がある。
【００１３】
本願発明に係る匂い革袋は、上記効果に加えて、革袋本体の周縁の一側であって、縫製された縫い目の内側には、貫通穴が形成されており、前記吸湿体は、貫通穴を通して芳香液が含浸されるので、当該貫通穴を利用して、チェーン、紐等を連結し、キーホルダー、携帯ストラップとして楽しむことができるという効果がある。
【００１４】
本願発明に係る匂い革袋は、上記効果に加え、吸湿体は反発素材で形成されており、革袋本体は、吸湿体の反発力によって膨脹しており、押圧することにより、吸湿体に含浸された芳香液の香りが前記貫通穴から放出される。押圧を解除すると、吸湿体の反発力により、革袋本体が元の膨脹した状態に復帰する。このように、本願発明に係る匂い革袋は、革袋本体を連続的に押圧して、芳香液の香りを貫通穴から放出して拡散させることができ、滲み出る以上のスピードで芳香液の香りを楽しむことができるという効果がある。
【００１５】
本願発明に係る匂い革袋は、上記効果に加え、吸湿体は、内部に芳香液を蓄える湿潤体が設けられているので、芳香液を長時間保持することができるという効果がある。
【００１６】
本願発明に係る匂い革袋の製造方法は、２枚の革シートの間に吸湿体を挟み込むようにして、接着剤により２枚の革シートを接着する第１の工程と、吸湿体を囲むようにして、２枚の革シートに所定形状の縫製を行う第２の工程と、縫製により形成された所定形状の縫い目の外側を切断して革袋本体を形成する第３の工程と、革袋本体の周縁の一側であって、縫い目の内側に貫通穴を形成する第４の工程により匂い革袋を製造する。
【００１７】
本願発明に係る匂い革袋の製造方法は、第２の工程において、吸湿体を囲むようにして２枚の革シートの縫製を行うが、吸湿体の存在によって、２枚の革シートが離れてしまい縫製が困難であった。しかし、第１の工程において、接着剤により２枚の革シートを予め接着しておくので、縫製を容易に行うことができるという効果がある。また、本願発明に係る匂い革袋の製造方法は、第３の工程により、縫い目の外側を切断して革袋本体を形成するが、革袋本体の周縁は、縫製と接着により、気密性が保持されるという効果がある。
【００１８】
さらにまた、本願発明に係る匂い革袋の製造方法は、第４の工程において、縫い目の内側に貫通穴を形成すると、空気が革袋本体内に入って吸湿体が膨脹し、革袋本体を膨らませることができ、さらに当該貫通穴により芳香液を革袋本体内に入れることができ、革袋本体を押圧することにより、貫通穴から芳香液の香りを放出発散させることができるという効果がある。
【００１９】
本願発明に係る匂い革袋の製造方法は、２枚の革シートの間に吸湿体を挟み込むようにして、接着剤により２枚の革シートを接着する第１の工程と、吸湿体を囲むようにして、２枚の革シートに所定形状の縫製を行う第２の工程と、縫製により形成された所定形状の縫い目の内側の一側に貫通穴を形成する第３の工程と、前記縫い目の外側を切断して革袋本体を形成する第４の工程により匂い革袋を製造する。
【００２０】
本願発明に係る匂い革袋の製造方法は、第２の工程において、吸湿体を囲むようにして２枚の革シートの縫製を行うが、吸湿体の存在によって、２枚の革シートが離れてしまい縫製が困難であった。しかし、第１の工程において、接着剤により２枚の革シートを予め接着しておくので、縫製を容易に行うことができるという効果がある。また、本願発明に係る匂い革袋の製造方法は、第３の工程において、縫い目の内側に貫通穴を形成すると、空気が革袋本体内に入って吸湿体が膨脹し、革袋本体を膨らませることができ、さらに当該貫通穴により芳香液を革袋本体内に入れることができ、革袋本体を押圧することにより、貫通穴から芳香液の香りを放出発散させることができるという効果がある。さらにまた、本願発明に係る匂い革袋の製造方法は、第４の工程により、縫い目の外側を切断して革袋本体を形成するが、革袋本体の周縁は、縫製と接着により、気密性が保持されるという効果がある。
【図面の簡単な説明】
【００２１】
【図１】本願発明に係る匂い革袋の一つの実施の形態を示す側面図である。
【図２】図１の匂い革袋の側面断面図である。
【図３】図１の匂い革袋の平面図である。
【図４】図１の匂い革袋の第１の工程を説明する斜視図である。
【図５】図１の匂い革袋の第２の工程を説明する斜視図である。
【図６】図１の匂い革袋の第３の工程を説明する斜視図である。
【図７】本願発明に係る匂い革袋の他の実施の形態を示す斜視図である。
【図８】図７の匂い革袋の製造工程を説明する斜視図である。
【発明を実施するための最良の形態】
【００２２】
図１乃至３に示すように、匂い革袋１は、重ね合わされた２枚の革シート１１，１２の周囲が縫製されて密閉状に形成された革袋本体２と、革袋本体２内に設けられた吸湿体６とからなる。吸湿体６には、香水、アロマオイル等の芳香液が含浸されるので、芳香液の香りが革袋本体２全体に浸透してから裏面から表面に滲み出て、持っているだけで芳香液の香りを楽しむことができる。また、匂い革袋１は、革袋本体２を縫製により人形型、動物型、自動車型、飛行機型、電車型、星型、菱型、ハート型等の種々の形状に形成することができ、装飾品としても楽しむことができる。さらに、匂い革袋１は、革袋本体２が皮革によって形成されているので、手触り感、質感、外観、高級感及び頑丈で耐久性に優れている。
【００２３】
匂い革袋１は、革袋本体２の周縁の一側であって、縫製された縫い目３の内側には、貫通穴５が形成されている。前記吸湿体６は、貫通穴５を通して芳香液が含浸されるので、当該貫通穴５を利用して、チェーン、紐等を取り付け、キーホルダー、携帯ストラップとして楽しむことができる。
【００２４】
匂い革袋１は、吸湿体６が反発素材で形成されている。革袋本体２は、吸湿体６の反発力によって膨脹しており、押圧することにより、吸湿体６に含浸された芳香液の香りが前記貫通穴５から放出される。押圧を解除すると、吸湿体６の反発力により、革袋本体２が元の膨脹した状態に復帰する。このように、匂い革袋１は、革袋本体２を連続的に押圧して、芳香液の香りを貫通穴５から放出して拡散させることができ、滲み出る以上のスピードで芳香液の香りを楽しむことができる。匂い革袋１は、吸湿体６の内部に芳香液を蓄える湿潤体７を設けると、芳香液を長時間保持することができる。
【００２５】
図４乃至６に示すように、匂い革袋の製造方法は、２枚の革シート１１，１２の間に吸湿体６を挟み込むようにして、接着剤により２枚の革シート１１，１２を接着する第１の工程と、吸湿体６を囲むようにして、２枚の革シート１１，１２に所定形状の縫製を行う第２の工程と、縫製により形成された所定形状の縫い目３の外側を切断して革袋本体２を形成する第３の工程と、革袋本体２の周縁の一側であって、縫い目３の内側に貫通穴５を形成する第４の工程により匂い革袋１を製造する。
【００２６】
匂い革袋の製造方法は、第２の工程において、吸湿体６を囲むようにして２枚の革シート１１，１２の縫製を行うが、吸湿体６の存在によって、２枚の革シート１１，１２が離れてしまい縫製が困難であった。しかし、第１の工程において、接着剤により２枚の革シート１１，１２を予め接着しておくので、縫製を容易に行うことができる。また、匂い革袋の製造方法は、第３の工程により、縫い目３の外側を切断して革袋本体２を形成するが、革袋本体２の周縁は、縫製と接着により、気密性が保持されている。
【００２７】
さらにまた、匂い革袋の製造方法は、第４の工程において、縫い目３の内側に貫通穴５を形成すると、空気が革袋本体２内に入って吸湿体６が膨脹し、革袋本体２を膨らませることができ、さらに当該貫通穴５により芳香液を革袋本体２内に入れることができ、革袋本体２を押圧することにより、貫通穴５から芳香液の香りを放出発散させることができる。
【００２８】
匂い革袋の製造方法は、２枚の革シート１１，１２の間に吸湿体６を挟み込むようにして、接着剤により２枚の革シート１１，１２を接着する第１の工程と、吸湿体６を囲むようにして、２枚の革シート１１，１２に所定形状の縫製を行う第２の工程と、縫製により形成された所定形状の縫い目３の内側の一側に貫通穴５を形成する第３の工程と、前記縫い目３の外側を切断して革袋本体２を形成する第４の工程により匂い革袋１を製造するようにしても良い。
【００２９】
匂い革袋の製造方法は、第２の工程において、吸湿体６を囲むようにして２枚の革シート１１，１２の縫製を行うが、吸湿体６の存在によって、２枚の革シート１１，１２が離れてしまい縫製が困難であった。しかし、第１の工程において、接着剤により２枚の革シート１１，１２を予め接着しておくので、縫製を容易に行うことができる。また、匂い革袋の製造方法は、第３の工程において、縫い目３の内側に貫通穴５を形成すると、空気が革袋本体２内に入って吸湿体６が膨脹し、革袋本体２を膨らませることができ、さらに当該貫通穴５により芳香液を革袋本体２内に入れることができ、革袋本体２を押圧することにより、貫通穴５から芳香液の香りを放出発散させることができる。さらにまた、匂い革袋の製造方法は、第４の工程により、縫い目３の外側を切断して革袋本体２を形成するが、革袋本体２の周縁は、縫製と接着により、気密性が保持されている。
【００３０】
さらに匂い革袋１について詳細に説明する。図１乃至３に示すように、匂い革袋１は、重ね合わされた２枚の革シート１１，１２の周囲が縫製されて密閉状に形成された革袋本体２と、革袋本体２内に設けられた吸湿体６とからなる。革袋本体２を構成する革シート１１，１２は、天然皮革であることが望ましいが、合成皮革、人工皮革であっても構わない。
【００３１】
革袋本体２は、独立した２枚の革シート１１，１２を重ね合わせて形成するが、図４に示すように、連接した２枚の革シート１１，１２を、図５に示すように、重ね合わせて形成しても良い。本実施の形態では、革シート１１，１２の形状は、菱型に形成されているが、この形状に限定されるものではなく、ハート型、人形型、動物型等種々変更することができ、特に形状に限定されるものではない。２枚の革シート１１，１２を重ね合わせる前に、革シート１１，１２の重ね合う面１１ａ，１２ａの両方又はどちらか一方に接着剤を塗布する。接着剤は、ラバーセメント（革用のゴムのり）等が使用されるが、特に限定されるものではない。
【００３２】
２枚の革シート１１，１２の重ね合わせる面１１ａ（又は１２ａ）に吸湿体６を載置する。吸湿体６は、吸水性を備えた素材であれば構わないが、特に、高反発特性をも備えた素材であることが望ましい。本実施の形態ではポリウレタン系スポンジが採用されている。低反発特性を備えた素材であると、革袋本体２の形態を凹んだ状態から素早く元の状態に復帰させるのに時間がかかるが、高反発特性を備えた素材であると、革袋本体２の形態を安定して保持し、何らかの力により凹んだとしても素早く元の状態に復帰させることができる。ちなみに、低反発ウレタンは、温度依存性があり、温度が低くなると、硬くなる性質があり、また、裂け・割れ等が生じる可能性もあるので、採用し難いが、逆にこの特性を利用して吸湿体として採用しても構わない。
【００３３】
なお、吸湿体６は、このままの形状でも構わないが、内部に芳香液を蓄える湿潤体７を設けると、芳香液を長時間保持することできる。吸湿体６は、スポンジ形状に形成され、気泡が大きいので、芳香液を長時間蓄えるのにはあまり適していない。吸湿体６内に、芳香液を染み込ませ（蓄え）たら放出（排出）し難い素材、例えばコットン等の布素材で形成された湿潤体７を設けておくことが望ましい。吸湿体６は、一端を連接した状態で、二つ割りにし、内部に湿潤体７を設けるが、袋状にして内部に湿潤体７を収納するようにしても良く、湿潤体７の取付方は種々変更することができるのは勿論である。
【００３４】
２枚の革シート１１，１２の重ね合わせる面１１ａ（又は１２ａ）に吸湿体６を載置した状態で、図５に示すように、２枚の革シート１１，１２を重ね合わせ、２枚の革シート１１，１２をハンマー、プレス機等で押圧して圧接させると、接着剤により重ね合う面１１ａ，１２ａが固着する。吸湿体６は、押圧されて薄くなるが、高反発特性を備えているので、２枚の革シート１１，１２を離間する方向に付勢する。２枚の革シート１１，１２は、吸湿体６の弾性復元力に抗して、接着剤の接着力により、しばらく（約３０分程度）接着した状態が保持されている。ミシン等の縫製機械により、吸湿体６の周縁の２枚の革シート１１，１２を縫製して縫い目３を形成する。この縫い目３により、２枚の革シート１１，１２は離れることがない。
【００３５】
図６に示すように、縫い目３の二点差線で示す周縁１５を、切断機で切断することにより、図３に示すように、革袋本体２が形成される。革袋本体２は、周縁が縫い目３と接着剤により、気密性が保持されているので、薄くなっている状態が維持されている。この革袋本体２の一側であって、縫い目３の内側に、穿孔機械のパンチにより貫通穴５を穿孔する。貫通穴５は、小孔であって、２枚の革シート１１，１２を貫通しており、革袋本体２内と連通する。革袋本体２は、貫通穴５により外部からの空気が内部に流入しやすくなり、吸湿体６が薄くなっている状態から元の状態に復帰するので、膨脹する。なお、革袋本体２は、図１に示すように、吸湿体６の各部を外側から触ることにより、均等に全体を膨脹させることができる。上記実施の形態では、縫い目３の周縁１５を切断後に、縫い目３の内側に貫通穴５を穿孔したが、この工程を逆にし、縫い目３の内側に貫通穴５を穿孔した後、縫い目３の周縁１５を切断しても構わない。
【００３６】
革袋本体２の貫通穴５から、スポイト等の注入装置を利用して、香水、アロマオイル等の芳香液を革袋本体２内に注入する。芳香液は、図２に示すように、吸湿体６に滲入し、湿潤体７に蓄えられる。上記したように、湿潤体７が存在せず、吸湿体６のみであっても構わない。さらに、革袋本体２の貫通穴５に金属製のリング１６を挿通し、当該リング１６に紐、チェーン等を取り付けて、キーホルダー、携帯ストラップ等のアクセサリーにすることもできる。
【００３７】
匂い革袋１は、革袋本体２が皮革によって形成されているので、皮革の持つ高級感、質感、美観、手触り感、外観及び頑丈で耐久性に優れている。また、匂い革袋１は、高反発素材で形成された吸湿体６が内部に収納されているので、吸湿体６の反発力によって革袋本体２が膨脹して形状が整えられて装飾性が高く、吸湿体６が弾力性を備えているので、ソフトで柔軟な感触を楽しむことができる。
【００３８】
匂い革袋１は、吸湿体６に含浸された、香水、アロマオイル等の芳香液の香りが革袋本体２全体に裏面から浸透して表面に滲み出て、持っているだけで芳香液の香りを楽しむことができる。さらに、匂い革袋１は、吸湿体６の弾性に抗して、革袋本体２を押圧することにより、貫通穴５から芳香液の香りを放出発散させることができる。このように、貫通穴５は、キーホルダー、携帯ストラップの紐、チェーンを取り付けるための取付穴として、また芳香液を革袋本体２内に注入するための注入穴として、さらには芳香液の香りを放出する放出穴として兼用することができる。なお、匂い革袋１は、革袋本体２の周縁が縫製と接着により、気密性が保持されている。
【００３９】
上記実施の形態では、革袋本体２を菱型形状に形成したが、図７，８に示すように、ハート型形状に形成しても良い。ハート型形状の匂い革袋２１は、周囲が縫製されて密閉状に形成された革袋本体２２と、革袋本体２２内に設けられた吸湿体２６とからなる。
【００４０】
革袋本体２２は、独立した２枚のハート型革シート３１，３２を重ね合わせて形成する。２枚の革シート３１，３２を重ね合わせる前に、革シート３１，３２の重ね合う面の両方又はどちらか一方に接着剤を塗布する。２枚の革シート３１，３２の重ね合わせる面に吸湿体２６を載置する。吸湿体２６は、吸湿体６と同様に、吸水性及び高反発特性を備えた素材であり、ハート型形状に形成されている。
【００４１】
２枚の革シート３１，３２の重ね合わせる面に吸湿体２６を載置した状態で、２枚の革シート３１，３２を重ね合わせ、２枚の革シート３１，３２を押圧して圧接させると、接着剤により重ね合う面が固着する。吸湿体２６は、押圧されて薄くなるが、高反発特性を備えているので、２枚の革シート３１，３２を離間する方向に付勢している。２枚の革シート３１，３２は、吸湿体２６の弾性復元力に抗して、接着剤の接着力により、しばらく（約３０分程度）接着した状態が保持されている。ミシン等の縫製機械により、ハート型形状の吸湿体２６の周縁の２枚の革シート３１，３２を縫製して縫い目３３を形成する。
【００４２】
縫い目３３の周縁３６を、切断機でハート型形状に切断することにより、革袋本体２２が形成される。また、この革袋本体２２の一側であって、縫い目３３の内側に、穿孔機械のパンチにより貫通穴３５を穿孔する。貫通穴３５は、小孔であって、２枚の革シート３１，３２を貫通しており、革袋本体２２内と連通する。革袋本体２２は、貫通穴３５により外部からの空気が内部に流入しやすくなり、吸湿体２６が薄くなっている状態から元の状態に復帰するので、膨脹する。上記実施の形態では、縫い目３３の周縁３６を切断後に、縫い目３３の内側に貫通穴３５を穿孔したが、この工程を逆にし、縫い目３３の内側に貫通穴３５を穿孔した後、縫い目３３の周縁３６を切断しても構わない。
【００４３】
革袋本体２２の貫通穴３５から、スポイト等の注入装置を利用して、香水、アロマオイル等の芳香液を革袋本体２２内に注入する。芳香液は、吸湿体２６に含浸する。革袋本体２２の貫通穴３５に金属製のリング１６を挿通し、当該リング１６に紐、チェーン等を挿通して、キーホルダー、携帯ストラップ等のアクセサリーにすることもできる。匂い革袋２１は、吸湿体２６の弾性に抗して、革袋本体２２を押圧することにより、貫通穴３５から芳香液の香りを放出発散させることができる。
【００４４】
匂い革袋２１は、匂い革袋１と形状のみ異なり、同じ作用効果を有する。このように、匂い革袋は、人形型、動物型、自動車型、飛行機型、電車型、星型、菱型、ハート型等の種々の形状に形成することができ、装飾品としても楽しむことができる。また、上記の形態では、匂い革袋は、バッグに収納したり、キーホルダー又は携帯ストラップのアクセサリーにしたりする程度の大きさで説明したが、レザークッション、レザーソファー、レザー枕、レザーシート、レザーマット等として利用しても構わない。
【産業上の利用可能性】
【００４５】
本願発明は、香水、アロマオイル等の芳香液が含浸された吸湿体を内部に収納した匂い革袋として利用可能である。
【符号の説明】
【００４６】
１  匂い革袋
２  革袋本体
３  縫い目
５  貫通穴
６  吸湿体
７  湿潤体
１１  革シート
１１ａ  重ね合う面
１２  革シート
１２ａ  重ね合う面
１５  周縁
１６  リング
２１  匂い革袋
２２  革袋本体
２６  吸湿体
３１  革シート
３２  革シート
３３  縫い目
３５  貫通穴
３６  周縁
【図１】
2013017514.tif 000003
【図２】
2013017514.tif 000004
【図３】
2013017514.tif 000005
【図４】
2013017514.tif 000006
【図５】
2013017514.tif 000007
【図６】
2013017514.tif 000008
【図７】
2013017514.tif 000009
【図８】
2013017514.tif 000010